(57)【要約】【課題】筋肉を多様に動かすことが可能な機器を提供する。【解決手段】健康機器１は、筐体１０、コントローラ３０、可動部４０Ａ及び可動部４０Ｂを備える。可動部４０Ａ、４０Ｂは、ユーザが握る取っ手４１を有し、ｘ１方向への移動とｘ２方向への移動を交互に繰り返す。ユーザが取っ手４１を握った状態で可動部４０Ａ及び可動部４０Ｂが往復移動すると、可動部４０Ａ及び可動部４０Ｂの往復移動に伴ってユーザの腕が振動し、腕の筋肉が動かされる。可動部４０Ａ、４０Ｂは、取り外しが可能であり、長手方向が往復移動する方向である可動部を取り付けることができる。可動部を交換した場合、取っ手４１を握る腕が広がるため、腕の筋肉は、可動部４０Ａを第１スライダ１５１に固定し、可動部４０Ｂを第２スライダ１５２に固定したときとは異なる動きをする。【選択図】図１
2018075211.tif 000002
【特許請求の範囲】
【請求項１】
モータと、
前記モータの回転を往復運動に替える機構と、
前記往復運動に伴って往復移動するスライダと、
前記スライダに固定され、ユーザの筋肉を動かす可動部と
を備え、
前記可動部は、前記スライダに対して第１の態様での固定と、前記スライダに対して第２の態様での固定が可能である
健康機器。
【請求項２】
前記可動部は、前記スライダに対して取り付けと取り外しが可能であって、前記第１の態様である第１の角度での取り付けと、前記第２の態様である第２の角度での取り付けが可能であり、
前記第１の角度で取り付けられる可動部と、前記第２の角度で取り付けられる可動部が異なる
請求項１に記載の健康機器。
【請求項３】
一の前記可動部を前記スライダに対して回転可能な状態と、前記スライダに対して固定した状態の一方に切り替え可能である
請求項１に記載の健康機器。
【発明の詳細な説明】
【技術分野】
【０００１】
本発明は、健康機器に関する。
【背景技術】
【０００２】
腕や脚を往復運動させる装置として、例えば、特許文献１に開示された装置がある。この装置は、クランク機構によりモータの回転を往復運動に変換してホルダーを往復移動させる。ユーザがホルダーを掴んだ場合には、ホルダーの往復移動よって腕の筋肉を運動させることができる。また、ユーザがホルダーに脹脛や大腿を乗せた場合には、ホルダーの往復移動によって脚の筋肉を運動させることができる。
【先行技術文献】
【特許文献】
【０００３】
【特許文献１】韓国公開特許第１０−２００４−０００２１９５号公報
【発明の概要】
【発明が解決しようとする課題】
【０００４】
特許文献１に開示された装置は、手で掴む位置や脚を乗せる位置を変えることができないため、筋肉の動かし方について種類が少ないものとなっていた。
【０００５】
本発明は、筋肉を多様に動かすことが可能な機器を提供することを目的とする。
【課題を解決するための手段】
【０００６】
本発明は、モータと、前記モータの回転を往復運動に替える機構と、前記往復運動に伴って往復移動するスライダと、前記スライダに固定され、ユーザの筋肉を動かす可動部とを備え、前記可動部は、前記スライダに対して第１の態様での固定と、前記スライダに対して第２の態様での固定が可能である健康機器を提供する。
【０００７】
また、本発明においては、前記可動部は、前記スライダに対して取り付けと取り外しが可能であって、前記第１の態様である第１の角度での取り付けと、前記第２の態様である第２の角度での取り付けが可能であり、前記第１の角度で取り付けられる可動部と、前記第２の角度で取り付けられる可動部が異なる構成としてもよい。
【０００８】
また、本発明においては、一の前記可動部を前記スライダに対して回転可能な状態と、前記スライダに対して固定した状態の一方に切り替え可能である構成としてもよい。
【発明の効果】
【０００９】
本発明によれば、筋肉を多様に動かすことができる。
【図面の簡単な説明】
【００１０】
【図１】本発明の実施形態に係る健康機器１の平面図。
【図２】健康機器１の正面図。
【図３】健康機器１の内部の平面図。
【図４】健康機器１の内部の平面図。
【図５】可動部４０Ｃ及び可動部４０Ｄを有する健康機器１の平面図。
【図６】可動部４０Ｅと可動部４０Ｆの背面図。
【図７】可動部４０Ｇと可動部４０Ｈの平面図と正面図。
【図８】弾性部材４４Ａを備える可動部４０Ｇと弾性部材４４Ａを備える可動部４０Ｈの平面図と正面図。
【図９】可動部４０Ｃ及び可動部４０Ｄを有する健康機器１の平面図。
【発明を実施するための形態】
【００１１】
［実施形態］
図１は、本発明の実施形態に係る健康機器１の平面図であり、図２は、健康機器１の正面図である。健康機器１は、ユーザの腕や脚、腰の筋肉を振動させて動かす機器である。健康機器１は、筐体１０、コントローラ３０、可動部４０Ａ及び可動部４０Ｂを備える。
【００１２】
可動部４０Ａ及び４０Ｂは、合成樹脂を成形したものであり、取っ手４１と弾性部材４２を有する。可動部４０Ａ及び可動部４０Ｂは、図において矢印で示したｘ１方向への移動とｘ２方向への移動を交互に繰り返す。可動部４０Ａ及び可動部４０Ｂの長手方向は、移動する方向と直交する方向となっている。取っ手４１は、ユーザが手で握る部分である。ユーザが取っ手４１を握った状態で可動部４０Ａ及び可動部４０Ｂが往復移動すると、可動部４０Ａ及び可動部４０Ｂの往復移動に伴ってユーザの腕が振動し、腕の筋肉が動かされる。弾性部材４２は、例えば弾性を有するゴムを成形したものであり、可動部４０Ａと可動部４０Ｂに装着される。弾性部材４２は、可動部４０Ａ及び可動部４０Ｂからの取り外しが可能となっている。弾性部材４２に脹脛を乗せた状態で可動部４０Ａ及び可動部４０Ｂが往復移動すると、可動部４０Ａ及び可動部４０Ｂの往復移動に伴ってユーザの下腿部が振動し、下腿部の筋肉が動く。また、弾性部材４２に大腿を乗せた状態で可動部４０Ａ及び可動部４０Ｂが往復移動すると、可動部４０Ａ及び可動部４０Ｂの往復移動に伴ってユーザの大腿部が振動し、大腿部の筋肉が動く。なお、可動部４０Ａと可動部４０Ｂが下側になるように健康機器１の向きを変えて可動部４０Ａと可動部４０Ｂを大腿の上に乗せ、大腿を振動させるように使用してもよい。
【００１３】
筐体１０は、上側筐体１１と下側筐体１２で構成されており、ねじ止めにより一体化される。筐体１０の内部は、中空となっており、内部に後述するモータ１０、モータ１０を駆動するための電気回路（図示略）、可動部４０Ａ及び可動部４０Ｂを往復移動させるためのクランク機構を有する。
【００１４】
コントローラ３０は、健康機器１の電源のオン／オフや、可動部４０Ａ及び可動部４０Ｂの往復移動の速度を調整するためのコントローラである。コントローラ３０は、筐体１０の内部に設けられた電気回路に対してケーブル（図示略）で接続されており、電源ボタン３３、第１ボタン３１及び第２ボタン３２を有する。コントローラ３０は、筐体１０から取り外すことが可能であり、ユーザは、健康機器１から離れた位置でも健康機器１をコントロールすることが可能となっている。
【００１５】
電源ボタン３３は、健康機器１の電源のオン／オフを行うためのボタンである。ユーザが電源ボタン３３を操作し、健康機器１の電源がオンとなると、可動部４０Ａ及び可動部４０Ｂが往復移動を開始する。第１ボタン３１は、可動部４０Ａ及び可動部４０Ｂの往復移動の速度を上げるためのボタンであり、第２ボタン３２は、可動部４０Ａ及び可動部４０Ｂの往復移動の速度を下げるためのボタンである。本実施形態においては、ユーザが第１ボタン３１又は第２ボタン３２を押す毎に段階的に可動部４０Ａ及び可動部４０Ｂの往復移動の速度が変化する。
【００１６】
図３と図４は、健康機器１の内部の平面図である。なお、図３及び図４においては、コントローラ３０と電源ケーブルの図示を省略している。基板１００には、モータ１１０、図示省略した電源ケーブル及びコントローラ３０が接続される。基板１００は、コントローラ３０で行われた操作に応じてモータ１１０の回転を制御するための電気回路を有している。
【００１７】
モータ１１０は、可動部４０Ａ及び可動部４０Ｂを駆動するための動力源であり、下側筐体１２に固定されている。モータ１１０の回転軸には、第１プーリー１２１が固定されている。第２プーリー１２２は、中心軸の方向が第１プーリー１２１の中心軸の方向と同じ方向になるように第１プーリー１２１に並べて配置され、中心に回転軸１２３を有する。回転軸１２３は、下側筐体１２に設けられた一対の支持部１４１により回転可能に支持されている。第１プーリー１２１と第２プーリー１２２には、ベルト１３０が架け渡されている。モータ１１０の回転軸の回転に伴って第１プーリー１２１が回転すると、ベルト１３０が回転し、ベルト１３０の回転に伴って第２プーリー１２２が回転する。
【００１８】
回転軸１２３の一端には第１円板１２４が固定されており、回転軸１２３の他端には第２円板１２５が固定されている。第１円板１２４においては、中心から外れた位置に第１リンク１３１の一端が回転可能に連結されている。また、第２円板１２５においては、中心から外れた位置に第２リンク１３２の一端が回転可能に連結されている。
【００１９】
第１リンク１３１の他端には第１スライダ１５１が接続されており、第２リンク１３２の他端には第２スライダ１５２が接続されている。第１スライダ１５１は、一対のスライド軸１５３によってｘ１方向とｘ２方向へ移動可能に支持されており、第２スライダ１５２も、一対のスライド軸１５３によってｘ１方向とｘ２方向へ移動可能に支持されている。第１スライダ１５１は、可動部４０Ａを固定するための複数のねじ孔１５４を有し、第２スライダ１５２は、可動部４０Ｂを固定するための複数のねじ孔１５４を有する。
【００２０】
第２プーリー１２２が回転すると、回転軸１２３が回転し、回転軸の回転に伴って第１円板１２４と第２円板１２５も回転する。第１円板１２４の回転に伴って第１リンク１３１が変位し、第１リンク１３１に接続されている第１スライダ１５１が図に示したｘ１方向又はｘ２方向へ移動する。また、第２円板１２５の回転に伴って第２リンク１３２が変位し、第２リンク１３２に接続されている第２スライダ１５２が図に示したｘ１方向又はｘ２方向へ移動する。なお、本実施形態においては、図３に示したように、第１スライダ１５１がｘ２方向へ移動しているときには第２スライダ１５２はｘ１方向へ移動し、図４に示したように、第１スライダ１５１がｘ１方向へ移動しているときには第２スライダ１５２はｘ２方向へ移動する。
【００２１】
可動部４０Ａを第１スライダ１５１に固定する際には、可動部４０Ａの内側から外側へ貫通したねじをねじ孔１５４に嵌めて締めることにより、ねじによって可動部４０Ａが第１スライダ１５１に対して固定される。また、可動部４０Ｂを第２スライダ１５２に固定する際には、可動部４０Ｂの内側から外側へ貫通したねじをねじ孔１５４に嵌めて締めることにより、ねじによって可動部４０Ｂが第２スライダ１５２に対して固定される。このように、可動部４０Ａは、第１スライダ１５１に固定され、可動部４０Ｂは、第２スライダ１５２に固定されるため、可動部４０Ａは、往復移動する第１スライダ１５１と共に移動し、可動部４０Ｂは、往復移動する第２スライダ１５２と共に移動する。
【００２２】
なお、本実施形態においては、ねじ孔１５４に嵌めているねじを外すことにより、可動部４０Ａを第１スライダ１５１から外し、可動部４０Ｂを第２スライダ１５２から外すことができる。そして、可動部４０Ａ、４０Ｂとは異なる形状の可動部を、ねじによって第１スライダ１５１と第２スライダ１５２に固定することができる。
【００２３】
図５は、健康機器１において、可動部４０Ａとは異なる形状の可動部４０Ｃを第１スライダ１５１に固定し、可動部４０Ｂとは異なる形状の可動部４０Ｄを第２スライダ１５２に固定したときの状態を示した平面図である。
【００２４】
可動部４０Ｃ及び４０Ｄは、合成樹脂を成形したものであり、取っ手４１と弾性部材４２Ａを有する。可動部４０Ｃは、第１スライダ１５１の往復移動に伴って、ｘ１方向とｘ２方向へ往復移動し、可動部４０Ｄは、第２スライダ１５２の往復移動に伴って、ｘ１方向とｘ２方向へ往復移動する。可動部４０Ｃは、長手方向が移動方向と同じ方向となっており、図に示したｘ１方向側で且つ背面側に取っ手４１を備える。また、可動部４０Ｄは、長手方向が移動方向と同じ方向となっており、図に示したｘ２方向側で且つ背面側に取っ手４１を備える。ユーザが取っ手４１を握った状態で可動部４０Ｃ及び可動部４０Ｄが往復移動すると、可動部４０Ｃ及び可動部４０Ｄの往復移動に伴ってユーザの腕が振動し、腕の筋肉が動かされる。
【００２５】
可動部４０Ｃを第１スライダ１５１に固定し、可動部４０Ｄを第２スライダ１５２に固定した場合、可動部４０Ａを第１スライダ１５１に固定し、可動部４０Ｂを第２スライダ１５２に固定した状態より取っ手４１を握る腕が広がるため、腕の筋肉は、可動部４０Ａを第１スライダ１５１に固定し、可動部４０Ｂを第２スライダ１５２に固定したときとは異なる動きをすることとなる。このように可動部を交換することにより筋肉の動きが変わるため、本実施形態では筋肉を多様に動かすことができる。
【００２６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２７】
上述した実施形態においては、可動部４０Ｃの取っ手４１と、可動部４０Ｄの取っ手４１は、健康機器１を水平に置いたときに水平となっているが、実施形態の構成に限定されるものではない。図６は、変形例に係る可動部４０Ｅと可動部４０Ｆの背面図である。可動部４０Ｅは、取っ手以外の構成は可動部４０Ｃと同じであり、可動部４０Ｆは、取っ手以外の構成は可動部４０Ｄと同じである。可動部４０Ｅは、取っ手４１に替えて取っ手４１Ａを備え、可動部４０Ｆは、取っ手４１に替えて取っ手４１Ａを備える。可動部４０Ｅが備える取っ手４１Ａは、ｘ１方向側が高く、ｘ２方向側が低くなるように設けられており、可動部４０Ｆが備える取っ手４１Ａのｘ２方向側が高く、ｘ１方向側が低くなるように設けられている。なお、可動部４０Ｅにおいては、取っ手４１Ａのｘ２方向側が高く、取っ手４１Ａのｘ１方向側が低くなるように取っ手４１Ａを設け、可動部４０Ｆにおいては、取っ手４１Ａのｘ１方向側が高く、取っ手４１Ａのｘ２方向側が低くなるように取っ手４１Ａを設けてもよい。また、可動部４０Ａと可動部４０Ｂにおいても、上述した変形例と同様に、取っ手４１の一端側と他端側の高さが異なり、水平方向に対して角度を付けるようにしてもよい。これらの変形例によれば、取っ手が水平の場合とは異なる角度でユーザが取っ手を握るため、腕の筋肉は、取っ手が水平の場合とは異なる動きをすることとなる。
【００２８】
上述した実施形態においては、可動部４０Ａ〜４０Ｄは、取っ手４１を有する構成となっているが、第１スライダ１５１と第２スライダ１５２に固定される可動部は、取っ手４１を備えていない構成であってもよい。図７は、取っ手４１を備えていない可動部の一例を示した図である。図７（ａ）は、可動部４０Ｇと可動部４０Ｈの平面図であり、図７（ｂ）は、可動部４０Ｇと可動部４０Ｈの正面図である。可動部４０Ｇは、ｘ２方向側からｘ１方向側へ高さが高くなっている弾性部材４３Ａを有し、可動部４０Ｈは、ｘ１方向側からｘ２方向側へ高さが高くなっている弾性部材４３Ｂを有する。ユーザは、可動部４０Ｇ及び可動部４０Ｈが固定された健康機器１を使用する場合、弾性部材４３Ａと弾性部材４３Ｂをユーザの腰に当てる。弾性部材４３Ａと弾性部材４３Ｂをユーザの腰に当てた状態で可動部４０Ｇ及び可動部４０Ｈを駆動すると、可動部４０Ｇ及び可動部４０Ｈの往復移動に伴って腰部の筋肉が動く。なお、可動部４０Ｃ〜４０Ｆにおいて、取っ手を避けて弾性部材４３Ａと弾性部材４３Ｂを配置するようにしてもよい。
【００２９】
可動部４０Ｇと可動部４０Ｈにおいては、図７に示したように正面から見て弾性部材４３の高さが変化する構成であるが、弾性部材の構成は、図７に示した構成に限定されるものではない。図８（ａ）は、弾性部材４４Ａを有する可動部４０Ｇと、弾性部材４４Ｂを有する可動部４０Ｈの平面図であり、図８（ｂ）は、弾性部材４４Ａを有する可動部４０Ｇと、弾性部材４４Ｂを有する可動部４０Ｈの正面図である。弾性部材４４Ａは、下方向に凹んだ凹部４４Ｃをｘ１方向側に有し、弾性部材４４Ｂは、下方向に凹んだ凹部４４Ｃをｘ２方向側に有する。凹部４４Ｃに脹脛又は大腿を乗せた場合、脚が広がった状態で脹脛又は大腿が動くため、脚の筋肉は、上述した可動部４０Ａ、４０Ｂの弾性部材４２に脹脛又は大腿を乗せた場合とは異なる動きをすることとなる。
【００３０】
上述した構成においては、往復移動する可動部は、往復移動する方向又は往復移動する方向と直交する方向が長手方向となっているが、上述の構成に限定されるものではない。図９は、可動部の長手方向が上述の構成とは異なる場合の一例を示した平面図である。
【００３１】
図９に示した可動部４０Ｊ及び４０Ｋは、合成樹脂を成形したものであり、取っ手４１と弾性部材４５を有する。可動部４０Ｊは、ｘ１方向から反時計回りに４５°回転させた角度で第１スライダ１５１に固定され、可動部４０Ｋは、ｘ２方向から時計回りに４５°回転させた角度で第２スライダ１５２に固定される。可動部４０Ｊ及び可動部４０Ｋは、図において矢印で示したｘ１方向とｘ２方向へ移動し、ｘ１方向への移動とｘ２方向への移動を交互に繰り返す。
【００３２】
可動部４０Ｊを第１スライダ１５１に固定し、可動部４０Ｋを第２スライダ１５２に固定した場合、可動部４０Ａと可動部４０Ｂを用いる場合や、可動部４０Ｃと可動部４０Ｄを用いる場合とは異なる腕の角度で取っ手４１を握るため、腕の筋肉は、可動部４０Ａと可動部４０Ｂを用いる場合や、可動部４０Ｃと可動部４０Ｄを用いる場合とは異なる動きをすることとなる。
【００３３】
上述した実施形態においては、ユーザが握る又は脚を乗せる可動部は、第１スライダ１５１及び第２スライダ１５２にねじで固定されるが、健康機器１においては、可動部を水平方向へ回転可能にしてもよい。例えば、第１スライダ１５１と第２スライダ１５２において、可動部を水平方向に回転する機構と、可動部の水平方向への回転をロックする機構を設け、可動部を水平方向へ回転させ、任意の角度で可動部を固定する構成としてもよい。また、可動部を水平方向に回転可能な構成においては、可動部が固定されているか否かを検出するセンサを設け、可動部が固定されていない状態がセンサによって検知されている状態においては、モータ１１０を回転させないようにしてもよい。
【００３４】
上述した実施形態においては、可動部４０Ａと可動部４０Ｂは、スライダから取り外して向きを変えた後に再度スライダに取り付け、長手方向と往復移動する方向とを同じにして取り付けられるようにしてもよい。
【符号の説明】
【００３５】
１…健康機器、１０…筐体、１１…上側筐体、１２…下側筐体、３０…コントローラ、３１…第１ボタン、３２…第２ボタン、４０Ａ、４０Ｂ、４０Ｃ、４０Ｄ、４０Ｅ、４０Ｆ、４０Ｇ、４０Ｈ、４０Ｊ、４０Ｋ…可動部、４１、４１Ａ…取っ手、４２、４２Ａ、４３Ａ、４３Ｂ、４４Ａ、４４Ｂ、４５…弾性部材、１００…基板、１１０…モータ、１２１…第１プーリー、１２２…第２プーリー、１２３…回転軸、１２４…第１円板、１２５…第２円板、１３０…ベルト、１３１…第１リンク、１３２…第２リンク、１４１…支持部、１５１…第１スライダ、１５２…第２スライダ、１５３…スライド軸、１５４…ねじ孔。
【図１】
2018075211.tif 000003
【図２】
2018075211.tif 000004
【図３】
2018075211.tif 000005
【図４】
2018075211.tif 000006
【図５】
2018075211.tif 000007
【図６】
2018075211.tif 000008
【図７】
2018075211.tif 000009
【図８】
2018075211.tif 000010
【図９】
2018075211.tif 000011